(57)【要約】  冷蔵庫（３０）は、前面に開口部を有する断熱箱体と、上面を開口した収納ケース（６９）と、収納ケース（６９）を前後に移動可能とするレール部材とを備え、レール部材は、固定レール（８０ａ）と移動レール（８０ｂ）とを有し、固定レール（８０ａ）と移動レール（８０ｂ）とが互いに摺動可能に取り付けられた状態で、固定レール（８０ａ）が断熱箱体に固定され、移動レール（８０ｂ）は、収納ケース（６９）を係止する係止部材（８１）を有し、収納ケース（６９）は、移動レール（８０ｂ）の係止部材（８１）を受け入れる係合部（６９ｂ）を有し、該冷蔵庫（３０）は、係止部材（８１）と係合部（６９ｂ）との間に、収納ケース（６９）と移動レール（８０ｂ）との係合状態を維持する補強部材（８２）を備える。
2012014476.tif 000002
【特許請求の範囲】
【請求項１】
冷蔵庫であって、
内箱、外箱、及び前記内箱と前記外箱との間に充填した発泡断熱材で構成され、前面に開口部を有する断熱箱体と、
上面を開口した収納ケースと、
前記収納ケースを前記内箱に対して前後に移動可能とするレール部材とを備え、
前記レール部材は、固定レールと移動レールとを有し、前記固定レールと前記移動レールとが互いに摺動可能に取り付けられた状態で、前記固定レールが前記断熱箱体の前記内箱に固定され、
前記移動レールは、前記収納ケースを係止する係止部材を有し、
前記収納ケースは、前記移動レールの前記係止部材を受け入れる係合部を有し、
該冷蔵庫は、さらに、前記係止部材と前記係合部との間に、前記収納ケースと前記移動レールとの係合状態を維持する補強部材を備える
冷蔵庫。
【請求項２】
前記係止部材は、金属製材料で形成され、
前記係合部は、樹脂製材料で形成され、
前記補強部材は、前記係合部よりも軟らかい樹脂製材料で形成される
請求項１に記載の冷蔵庫。
【請求項３】
前記係合部は、前記収納ケースの側部に一体形成されて、上下方向に開口した孔部を有し、
前記係止部材は、前記移動レールよりも上方に突出した突出形状を有し、
前記補強部材は、前記係止部材を前記孔部に下から挿通する際に、前記係止部材と前記孔部とが直接接触する部分に配置され、前記補強部材と前記係止部材とが直接接触する
請求項１または２に記載の冷蔵庫。
【請求項４】
前記係止部材は、前記移動レールの前方位置と後方位置との少なくとも２箇所に設けられ、
前記係止部材は、上方に立上る立上り部と、前記立上り部から前後方向の一方に張り出す張出部とを有し、
前記張出部は、前記係合部の孔部の上端に係止される
請求項１から３のいずれか１項に記載の冷蔵庫。
【発明の詳細な説明】
【技術分野】
【０００１】
本発明は、冷蔵庫に関し、特に、レールに取付けられて、前後方向に移動可能な収納ケースを有する冷蔵庫に関するものである。
【背景技術】
【０００２】
図９は、従来の冷蔵庫１の縦断面図である。【０００３】
図９に示すような冷蔵庫１に搭載した収納ケース７は、庫内に配置した金属製のレール（図示しない）に固定された係止部材（図示しない）と、収納ケース７の係合部（取付部）とが直接係合固定されている（例えば、特許文献１参照）。
【先行技術文献】
【特許文献】
【０００４】
【特許文献１】特開２００５−１９５２９３号公報
【発明の概要】
【発明が解決しようとする課題】
【０００５】
しかしながら、上記従来の構成では、収納ケース７の前後方向への引出し動作により、係止部材との接触によって、収納ケース７の係合部に割れが発生しやすくなり、さらに収納ケース７内の収納物の荷重によって収納ケース７が脱落する虞がある。【０００６】
本発明は、上記従来の課題を解決するもので、収納ケースをレールに対して取り付ける取付部の割れを防止した冷蔵庫を提供することを目的とする。
【課題を解決するための手段】
【０００７】
上記従来の課題を解決するために、本発明の一形態に係る冷蔵庫は、内箱、外箱、及び前記内箱と前記外箱との間に充填した発泡断熱材で構成され、前面に開口部を有する断熱箱体と、上面を開口した収納ケースと、前記収納ケースを前記内箱に対して前後に移動可能とするレール部材とを備える。前記レール部材は、固定レールと移動レールとを有し、前記固定レールと前記移動レールとが互いに摺動可能に取り付けられた状態で、前記固定レールが前記断熱箱体の前記内箱に固定される。前記移動レールは、前記収納ケースを係止する係止部材を有する。前記収納ケースは、前記移動レールの前記係止部材を受け入れる係合部を有する。さらに、該冷蔵庫は、前記係止部材と前記係合部との間に、前記収納ケースと前記移動レールとの係合状態を維持する補強部材を備える。【０００８】
これによって、収納ケースの係合部と移動レールの係止部材とが補強部材を介して係合するので、係合部分の強度を確保できる。
【発明の効果】
【０００９】
本発明の冷蔵庫は、収納ケースとレールとの間に補強部材を介在させたことで、係合部分の保持強度を確保した冷蔵庫を提供できる。
【図面の簡単な説明】
【００１０】
【図１】図１は、本発明の実施の形態１における冷蔵庫の縦断面図である。
【図２】図２は、本発明の実施の形態１における冷蔵庫本体の正面図である。
【図３】図３は、本発明の実施の形態１における風路の概略図である。
【図４】図４は、本発明の実施の形態１における冷蔵庫本体の斜視図である。
【図５】図５は、本発明の実施の形態１における収納ケースとレールの斜視図である。
【図６】図６は、図５の分解斜視図である。
【図７Ａ】図７Ａは、本発明の実施の形態１の要部略図である。
【図７Ｂ】図７Ｂは、本発明の実施の形態１の要部略図である。
【図８】図８は、本発明の実施の形態１の要部斜視図である。
【図９】図９は、従来の冷蔵庫の断面図である。
【発明を実施するための形態】
【００１１】
本発明の一形態に係る冷蔵庫は、内箱、外箱、及び前記内箱と前記外箱との間に充填した発泡断熱材で構成され、前面に開口部を有する断熱箱体と、上面を開口した収納ケースと、前記収納ケースを前記内箱に対して前後に移動可能とするレール部材とを備える。前記レール部材は、固定レールと移動レールとを有し、前記固定レールと前記移動レールとが互いに摺動可能に取り付けられた状態で、前記固定レールが前記断熱箱体の前記内箱に固定される。前記移動レールは、前記収納ケースを係止する係止部材を有する。前記収納ケースは、前記移動レールの前記係止部材を受け入れる係合部を有する。さらに、該冷蔵庫は、前記係止部材と前記係合部との間に、前記収納ケースと前記移動レールとの係合状態を維持する補強部材を備える。これにより、係合部の強度を補強することができ、係合部の破損を防止することができる。
【００１２】
また、前記係止部材は、金属製材料で形成されてもよい。前記係合部は、樹脂製材料で形成されてもよい。そして、前記補強部材は、前記係合部よりも軟らかい樹脂製材料で形成されてもよい。金属製の係止部材によって、収納ケースの係合部が割れるのを防止することができる。
【００１３】
また、前記係合部は、前記収納ケースの側部に一体形成されて、上下方向に開口した孔部を有してもよい。前記係止部材は、前記移動レールよりも上方に突出した突出形状を有してもよい。そして、前記補強部材は、前記係止部材を前記孔部に下から挿通する際に、前記係止部材と前記孔部とが直接接触する部分に配置され、前記補強部材と前記係止部材とが直接接触してもよい。補強部材を係止部材に直接接触させることで、係合部の割れ等を防止できる。
【００１４】
また、前記係止部材は、前記移動レールの前方位置と後方位置との少なくとも２箇所に設けられてもよい。前記係止部材は、上方に立上る立上り部と、前記立上り部から前後方向の一方に張り出す張出部とを有してもよい。そして、前記張出部は、前記係合部の孔部の上端に係止されてもよい。これにより、係合部と係止部材との係止状態を解除するときに、係合部を係止部材に対して前後方向に移動させて取り外すことができる。
【００１５】
以下、本発明の実施の形態について、図面を参照しながら説明する。なお、この実施の形態によってこの発明が限定されるものではない。
【００１６】
（実施の形態１）
図１は、本発明の実施の形態１における冷蔵庫の縦断面図である。図２は、本発明の実施の形態１における冷蔵庫本体の正面図である。図３は、本発明の実施の形態１における風路の概略図である。図４は、本発明の実施の形態１における冷蔵庫本体の斜視図である。図５は、収納ケースとレールとの斜視図である。図６は、図５の分解斜視図である。図７Ａ及び図７Ｂは、本発明の実施の形態１の要部略図である。図８は、本発明の実施の形態１の要部斜視図である。
【００１７】
図１において、冷蔵庫３０の断熱箱体３１は、主に鋼板を用いた外箱３２と、ＡＢＳ（Ａｃｒｙｌｏｎｉｔｒｉｌｅ−Ｂｕｔａｄｉｅｎｅ−Ｓｔｙｒｅｎｅ  ｒｅｓｉｎ）などの樹脂で成型された内箱３３とで構成される。また、外箱３２及び内箱３３の内部には、例えば、硬質発泡ウレタンなどの発泡断熱材３４が充填され、周囲と断熱されている。そして、内箱３３の内部は、複数の貯蔵室に区分されている。図１の例では、最上部に冷蔵室３５、冷蔵室３５の下部に切替室３６、最下部に冷凍室３７が配置される構成となっている。
【００１８】
また、冷蔵室３５の前面開口部には冷蔵室ドア３８が、切替室３６の前面開口部には切替室ドア３９が、冷凍室３７の前面開口部には冷凍室ドア４０が、それぞれの前面開口部に開閉自在に取り付けられている。
【００１９】
冷蔵室３５は、冷蔵保存のために凍らない温度を下限に通常１℃〜５℃に設定される。切替室３６は、冷凍温度帯から冷蔵温度帯の温度切替設定が可能で、−１８〜４℃まで１℃間隔で設定することができる。冷凍室３７は、冷凍温度帯に設定されており、冷凍保存のために通常−２２℃〜−１５℃で設定されているが、冷凍保存状態の向上のために、例えば−３０℃〜−２５℃の低温で設定されることもある。
【００２０】
また、切替室３６と冷凍室３７とは、第１区画壁４１によって上下に区画されている。また、冷蔵室３５と切替室３６とは、第２区画壁４２によって上下に区画されている。
【００２１】
また、冷凍室３７の背面には、冷気を生成する冷却室４３が設けられている。冷却室４３の内部には、冷却器４４が配設されている。冷却室４３は、カバーコイル４５によって冷凍室３７と断熱区画されている。また、冷却器４４の上方には、冷却器４４で生成された冷気を強制的に送風するファン４６が配置されている。さらに、冷却器４４の下方には、冷却器４４に付着した霜や氷を除霜する除霜ヒータ４７が設けられている。
【００２２】
除霜ヒータ４７は、具体的にはガラス製のガラス管ヒータである。特に、冷媒が炭化水素系冷媒ガスである場合、防爆対応としてガラス管が２重に形成された２重ガラス管ヒータが採用されている。また、カバーコイル４５は、例えば、樹脂製の化粧板（図示省略）と、ファン４６の保持部や冷気通路を形成する断熱部材（図示省略）とで形成されている。断熱部材は、例えば、スチロール材等の断熱材で構成される。
【００２３】
また、切替室３６の背面には、冷蔵室３５と切替室３６とへ冷気を送風する送風ダクト４８を有するダクト装置４９が備えられている。送風ダクト４８は、冷蔵室３５へ冷気を送風する冷蔵室送風ダクト４８ａと、切替室３６へ冷気を送風する切替室送風ダクト４８ｂとが、それぞれダクト装置４９内に左右に横並びで上下方向に向かって配置されている。ダクト装置４９内には、冷蔵室３５と切替室３６とへの冷気量を調節するダンパ装置５０が埋設され、冷蔵室送風ダクト４８ａと切替室送風ダクト４８ｂとのそれぞれのダクト内を通過する冷気量を別々にコントロールしている。
【００２４】
また、冷蔵室送風ダクト４８ａを通って冷蔵室３５へ吐出した冷気は、冷蔵室３５の下部背面に設けられた冷蔵室戻り口３５ｂから冷蔵室帰還ダクト５１ａを通って冷却器４４へ帰還する。切替室送風ダクト４８ｂを通って切替室３６へ吐出された冷気は、切替室３６の背面で、且つダクト装置４９の下部に設けられた切替室戻り口３６ｃから切替室帰還ダクト５１ｂを通って冷却器４４へ帰還する。
【００２５】
また、切替室３６には、切替室３６の内部に上下２段に配置され、各々が上面に開口部を有する上部収納ケース６９と下部収納ケース７０とが、前後方向に移動可能に備えられている。そして、切替室３６に冷気を吐出する上部吐出口３６ａは、上部収納ケース６９の上面開口部よりも上部に配置されている。一方、切替室３６に冷気を吐出する下部吐出口３６ｂは、下部収納ケース７０の上面開口部よりも上部で、且つ上部収納ケース６９の底面部より下部に形成されている。
【００２６】
次に、切替室３６の上部収納ケース６９と下部収納ケース７０との引出し構造について説明する。
【００２７】
図１のように、切替室３６内には、上下２段に上部収納ケース６９と下部収納ケース７０とが収納されている。図４は、冷蔵室ドア３８、切替室ドア３９、及び冷凍室ドア４０を省略した図で、上部収納ケース６９と下部収納ケース７０とが共に引き出された状態の図である。
【００２８】
上部収納ケース６９と下部収納ケース７０とは、それぞれレール部材８０にて切替室３６に連結されることにより、内箱３３に対して前後方向に引出し可能となっている。
【００２９】
レール部材８０は、固定レール８０ａと、移動レール８０ｂと、固定レール８０ａおよび移動レール８０ｂの係合を支持する回転支持部材である複数のベアリング（図示省略）とからなる。
【００３０】
そして、固定レール８０ａと移動レール８０ｂとベアリングとを予め組み立てた状態（固定レール８０ａと移動レール８０ｂとが互いに摺動可能な状態）で、固定レール８０ａを内箱３３の左右両側の貯蔵室（切替室３６）側の壁面に固定し、移動レール８０ｂを上部収納ケース６９に固定することで上部収納ケース６９を内箱３３に対して前後方向に引き出し可能に連結している。
【００３１】
下部収納ケース７０も上部収納ケース６９と同様に、レール部材８０によって内箱３３に対して前後方向に引き出し可能に連結されている。したがって、１つの切替室３６内には、レール部材８０が左右両側の切替室３６側の壁面にそれぞれ上下２段配置され、上部収納ケース６９と下部収納ケース７０とは、独立して前後方向に引出し可能となっている。
【００３２】
固定レール８０ａと移動レール８０ｂとの間には、予めベアリングを組み込んでいるので、固定レール８０ａと移動レール８０ｂとの間のクリアランスを最小限に設定できる。
【００３３】
さらに、内箱３３の左右両側の切替室３６側の壁面に固定された左右のレール部材８０は、左右対称の形状を有し、内箱３３の左右両方に設けることで、上部収納ケース６９を引き出す際により良い摺動性を発揮する。
【００３４】
上部収納ケース６９は、レール部材８０を内箱３３に固定した後に、移動レール８０ｂに爪やビス等で固定、または溶接等で固着された係止部材８１に係合されることにより、移動レール８０ｂと共に前後に移動することができる。そして、上部収納ケース６９を全開した（完全に引き出した）時に、上部収納ケース６９は、内箱３３に対して上方向に着脱自在となっている。
【００３５】
具体的には、上部収納ケース６９の左右両側の外壁面には、外側に向かって形成されたフランジ部６９ａが上部収納ケース６９の奥行き方向に向かって連続して形成されている。また、フランジ部６９ａを補強するフランジ補強部リブ６９ｃが、フランジ部６９ａの長手方向に対して略垂直方向に複数個形成され、フランジ部６９ａと上部収納ケース６９の外壁面とを連結している。
【００３６】
そして、フランジ部６９ａには、上下方向に貫通する略矩形状の孔部６９ｂが、フランジ部６９ａの前方位置及び後方位置の少なくとも２箇所に形成されている。この孔部６９ｂは、上部収納ケース６９とレール部材８０とを係合させる係合部として機能する。より具体的には、移動レール８０ｂに設けられた係止部材８１を、フランジ部６９ａに設けられた孔部６９ｂに挿入することによって、両者を係合させる。
【００３７】
また、上部収納ケース６９を係止部材８１に固定するとき、補強部材８２が嵌め込まれた状態の孔部６９ｂに、係止部材８１を下から挿入する。すなわち、孔部６９ｂと係止部材８１との間には、補強部材８２が介在する。
【００３８】
具体的には、固定レール８０ａと移動レール８０ｂとは、金属製レールである。上部収納ケース６９は、樹脂製の透明ケースであり、より具体的には、透明分野で広く使用されているＧＰタイプのポリスチレン（ＧＰ−ＰＳ）で成形されている。また、係止部材８１も金属製部材である。このため、上部収納ケース６９と同材料で成形された孔部６９ｂに、係止部材８１を直接挿通して固定すると、上部収納ケース６９の引出し動作によって、フランジ部６９ａの孔部６９ｂ周辺が破損する虞がある。
【００３９】
このため、孔部６９ｂを構成する材料よりも軟らかい樹脂製材料、例えば、ポリプロピレン樹脂（ＰＰ樹脂）等で形成された補強部材８２を、孔部６９ｂと係止部材８１との間に挟んで、係止部材８１が孔部６９ｂの周縁部（孔部６９ｂを形成する壁面）に直接接触しないようにしている。
【００４０】
具体的には、補強部材８２は、孔部６９ｂに挿入可能な凸部８２ａと、移動レール８０ｂの上面に保持される保持部８２ｂとを一体に形成してなる。より具体的には、凸部８２ａは、保持部８２ｂの上面から上方に突出している。また、凸部８２ａには、上下方向に貫通する開口部８２ｃが形成されている。さらに、保持部８２ｂは、凸部８２ａの投影面積（上下方向から見た時の投影面積）よりも大きい略矩形状で構成されている。
【００４１】
そして、凸部８２ａは、孔部６９ｂに挿入される。このとき、凸部８２ａの上端部は孔部６９ｂの上端部よりも上方に配置され、孔部６９ｂの周縁部全体が凸部８２ａに覆われるように構成されている。そして、凸部８２ａに設けられた開口部８２ｃには、係止部材８１が挿入される。
【００４２】
したがって、係止部材８１を開口部８２ｃに挿通しても、係止部材８１は、孔部６９ｂの周縁部には直接接触せず、補強部材８２に接触する構成となっている。このため、ＰＰ樹脂材料で成形された補強部材８２に金属製の係止部材８１が接触するため、上部収納ケース６９を前後方向に引き出したときに、上部収納ケース６９の孔部６９ｂの周縁部が破損するのを防止できる。
【００４３】
係止部材８１は、移動レール８０ｂの自由端側（前方位置）と反自由端側（後方位置）との少なくとも２箇所（孔部６９ｂに対応する位置）に形成される。この係止部材８１は、移動レール８０ｂの上面から上方に立上った固定部８１ａと、固定部８１ａからさらに上方に立上り、固定部８１ａよりも長手方向（前後方向）の奥行き寸法が小さい立上り部８１ｂと、立上り部８１ｂの上部で立上り部８１ｂに対して、移動レール８０ｂの長手方向となる前後方向の一方（この例では、前方方向）に張り出す張出部８１ｃとを一体に成形してなる。そして、固定部８１ａの奥行き寸法は、開口部８２ｃの長手方向の開口寸法と略同一に構成されている。
【００４４】
以上のように構成された冷蔵庫３０について、以下にその動作及び作用を説明する。
【００４５】
まず、内箱３３に固定されたレール部材８０の固定レール８０ａに対して、左右の移動レール８０ｂを全開位置となるように前方に引出す。そして、移動レール８０ｂに固着された金属製の係止部材８１に対して、上方から上部収納ケース６９を係合させる。
【００４６】
このとき、上部収納ケース６９のフランジ部６９ａに形成された孔部６９ｂには、下方から補強部材８２の凸部８２ａが嵌め込まれて、フランジ部６９ａに補強部材８２が固定される構造となっている。なお、すべての孔部６９ｂに対して補強部材８２を固定している。
【００４７】
そして、係止部材８１を補強部材８２の開口部８２ｃに下方から挿通すると、係止部材８１の張出部８１ｃが開口部８２ｃを通過して、次に立上り部８１ｂが開口部８２ｃに達し、さらに上部収納ケース６９を下げると、開口部８２ｃの下端部が固定部８１ａの上端部に到達する。この時、上部収納ケース６９を後方へ移動させながらさらに下方へ下げると、固定部８１ａが開口部８２ｃにはめ込まれる。ここで、固定部８１ａの奥行き寸法と開口部８２ｃの奥行き寸法とはほぼ同一なので、両者をガタツキなく固定することができる。
【００４８】
これによって、図７Ａのように、上部収納ケース６９の後方側を上に持上げただけでは、後方側の係止部材８１の張出部８１ｃが補強部材８２の開口部８２ｃの上端部（孔部６９ｂの上端部）に係止され、上部収納ケース６９が簡単に外れないように構成されている。また同様に、図７Ｂのように、上部収納ケース６９の前方側を持上げただけでは、前方側の係止部材８１の張出部８１ｃが補強部材８２の開口部８２ｃの上端部（孔部６９ｂの上端部）に係止され、上部収納ケース６９が簡単には外れないように構成されている。
【００４９】
したがって、上部収納ケース６９が移動レール８０ｂから不意に脱落するのを防止することができる。
【００５０】
また、上部収納ケース６９を移動レール８０ｂから外すときは、上部収納ケース６９を全開にした状態で、上部収納ケース６９の前後部分を同時に（すなわち、水平状態を維持した状態で）持上げ、開口部８２ｃが立上り部８１ｂに対応する位置に有るときに、上部収納ケース６９を前方に移動させて、さらに上方に移動させることで、上部収納ケース６９を移動レール８０ｂから外すことができる。これにより、上部収納ケース６９を清掃することができる。
【００５１】
また、レール部材８０と係止部材８１とを金属製としたことで剛性を確保できる。さらに、上部収納ケース６９を透明性の高いＰＳ樹脂材料で形成したので、引き出したときに上部収納ケース６９内の収納物の視認性を高めることができる。
【００５２】
また、上部収納ケース６９を構成する材料よりも軟らかい樹脂製材料の補強部材８２を間に介して、上部収納ケース６９を係止部材８１に固定し、移動レール８０ｂとともに引出し可能にしたことで、金属材料との接触による上部収納ケース６９の割れや破損等を防止できる。これにより、樹脂製材料で構成された上部収納ケース６９の強度および金属製材料で構成されたレール部材８０との固定による樹脂製の上部収納ケース６９の割れなどを防止し、信頼性を確保することができる。
【００５３】
また、係止部材８１が補強部材８２を介して孔部６９ｂに固定されることで、上部収納ケース６９と移動レール８０ｂとが連結される。このとき、透明樹脂であり硬度の高い上部収納ケース６９と、金属製の係止部材８１とが、硬度の低い樹脂材料で形成された補強部材８２を介して固定されるので、透明の上部収納ケース６９の割れや破損するのを防止することができる。その結果、引出し操作による信頼性を確保することができる。
【００５４】
孔部６９ｂの強度をより確保するために、隣接するフランジ補強部リブ６９ｃの間に孔部６９ｂを配置することで、孔部６９ｂの周囲を補強することができる。
【００５５】
上記は上部収納ケース６９について説明したが、下部収納ケース７０も同様である。
【００５６】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００５７】
本発明にかかる冷蔵庫は、家庭用又は業務用の冷蔵庫に対しても適用できる。
【符号の説明】
【００５８】
１，３０  冷蔵庫
７    収納ケース
３１  断熱箱体
３２  外箱
３３  内箱
３４  発泡断熱材
３５  冷蔵室
３５ｂ  冷蔵室戻り口
３６  切替室
３６ａ  上部吐出口
３６ｂ  下部吐出口
３６ｃ  切替室戻り口
３７  冷凍室
３８  冷蔵室ドア
３９  切替室ドア
４０  冷凍室ドア
４１  第１区画壁
４２  第２区画壁
４３  冷却室
４４  冷却器
４５  カバーコイル
４６  ファン
４７  除霜ヒータ
４８  送風ダクト
４８ａ  冷蔵室送風ダクト
４８ｂ  切替室送風ダクト
４９  ダクト装置
５０  ダンパ装置
５１ａ  冷蔵室帰還ダクト
５１ｂ  切替室帰還ダクト
６９  上部収納ケース
６９ａ  フランジ部
６９ｂ  孔部
６９ｃ  フランジ補強部リブ
７０  下部収納ケース
８０  レール部材
８０ａ  固定レール
８０ｂ  移動レール
８１  係止部材
８１ａ  固定部
８１ｂ  立上り部
８１ｃ  張出部
８２  補強部材
８２ａ  凸部
８２ｂ  保持部
８２ｃ  開口部
【図１】
2012014476.tif 000003
【図２】
2012014476.tif 000004
【図３】
2012014476.tif 000005
【図４】
2012014476.tif 000006
【図５】
2012014476.tif 000007
【図６】
2012014476.tif 000008
【図７Ａ】
2012014476.tif 000009
【図７Ｂ】
2012014476.tif 000010
【図８】
2012014476.tif 000011
【図９】
2012014476.tif 000012
【手続補正書】
【提出日】平成23年12月9日(2011.12.9)
【手続補正１】
【補正対象書類名】特許請求の範囲
【補正対象項目名】全文
【補正方法】変更
【補正の内容】
【特許請求の範囲】
【請求項１】
冷蔵庫であって、
内箱、外箱、及び前記内箱と前記外箱との間に充填した発泡断熱材で構成され、前面に開口部を有する断熱箱体と、
上面を開口した収納ケースと、
前記収納ケースを前記内箱に対して前後に移動可能とするレール部材とを備え、
前記レール部材は、固定レールと移動レールとを有し、前記固定レールと前記移動レールとが互いに摺動可能に取り付けられた状態で、前記固定レールが前記断熱箱体の前記内箱に固定され、
前記移動レールは、前記収納ケースを係止する係止部材を有し、
前記収納ケースは、前記移動レールの前記係止部材を受け入れる係合部を有し、
前記係合部は、上下方向に開口した孔部であって、
該冷蔵庫は、さらに、前記係止部材と前記係合部との間に、前記収納ケースと前記移動レールとの係合状態を維持する補強部材を備える
冷蔵庫。
【請求項２】
前記係止部材は、金属製材料で形成され、
前記係合部は、樹脂製材料で形成され、
前記補強部材は、前記係合部よりも軟らかい樹脂製材料で形成される
請求項１に記載の冷蔵庫。
【請求項３】
前記係合部は、前記収納ケースの側部に一体形成され、
前記係止部材は、前記移動レールよりも上方に突出した突出形状を有し、
前記補強部材は、前記係止部材を前記孔部に下から挿通する際に、前記係止部材と前記孔部とが直接接触する部分に配置され、前記補強部材と前記係止部材とが直接接触する
請求項１または２に記載の冷蔵庫。
【請求項４】
前記係止部材は、前記移動レールの前方位置と後方位置との少なくとも２箇所に設けられ、
前記係止部材は、上方に立上る立上り部と、前記立上り部から前後方向の一方に張り出す張出部とを有し、
前記張出部は、前記係合部の孔部の上端に係止される
請求項１から３のいずれか１項に記載の冷蔵庫。
【国際調査報告】
2012014476.tif 000013
2012014476.tif 000014
2012014476.tif 000015
2012014476.tif 000016